(57)【要約】【課題】貯氷庫内に蓄積されている氷片が多いときでも少ないときでも容易に取り出せるようにした製氷機の貯氷庫を提供する。【解決手段】製氷機の貯氷庫の氷片取り出し口を上下二段に別け、各取り出し口に扉を取り付けてなる貯氷庫において、下段取り出し口１２には、その下側に下段扉１３を回動可能に取り付けて上端を開閉可能にし、上段取り出し口１１には、その上側に上段扉１６を回動可能にとりつけて下端を開閉可能にし、下段扉１３の上端に、軸受け金具２１とピン２２とで戸当たり１５を回動可能に取り付け、該戸当たり１５の両端面に案内溝２３を設け、この案内溝２３に貯氷庫１０の両側内面に設けた案内凸子２４が嵌まり合うことにより下段扉１３を閉じたとき戸当たり１５の面１５ｆ　が下段扉１３の内面と平行になり、開いたときには下段扉１３の内面に対して直角になるように構成したものである。【選択図】　図１
2004020128.tif 000002
【特許請求の範囲】
【請求項１】
製氷機の貯氷庫の氷片取り出し口を上下二段に別け、各取り出し口に扉を取り付けてなる貯氷庫において、下段取り出し口には、その下側に下段扉を回動可能にとりつけて上端を開閉可能にし、上段取り出し口には、その上側に上段扉を回動可能にとりつけて下端を開閉可能にし、下段扉の上端に、軸受け金具とピンとで戸当たりを回動可能に取り付け、該戸当たりの両端面に案内溝を設け、この案内溝に貯氷庫の両側内面に設けた案内凸子が嵌まり合うことにより下段扉を閉じたとき戸当たり面が下段扉の内面と平行になり、開いたときには下段扉の内面に対して直角になるようにしたことを特徴とする貯氷庫。
【請求項２】
上記上段扉は、ダンパーを介在させてはね上げ開閉できるようにしてなることを特徴とする請求項１に記載の貯氷庫。
【発明の詳細な説明】
【０００１】
【発明の属する技術分野】
この発明は、氷片を取り出しやすくした取り出し口を上下二段にした貯氷庫の扉の構造に関する。
【０００２】
【従来の技術】
製氷機の貯氷庫は、小型の場合は取り出し口が一つであるが、容量が大きい製氷機３は、図３に示すように氷片の取り出し口３１，３２が上・下段になり、下段の取り出し口３２は、下段扉３３の下端に設けたヒンジ（図にあらわれてない）を軸に、控え金具３４の存在により制限的に上端が開き、上段の取り出し口３１には、下段との間に亘設された敷居３５にガラス板の引き違い扉３６が嵌められている。なお、３７は下段扉の把手、３８は引き違い扉の把手、３９は機械室の換気口、Ｇは氷片Ｉの落ちこぼれ防止板である。
【０００３】
【発明が解決しようとする課題】
上記の如く構成する従来の貯氷庫３０では、上段から氷片Ｉを取り出すときは、扉３６が引き違いになっているために取り出し口３１の大きさは実質二分の一になり取り出し難く、貯氷庫３０の氷片Ｉが少なくなると下段の扉３３を開いて取り出すが、このとき上・下段の間にある敷居３５が邪魔になる。
【０００４】
氷片Ｉがさらに少なくなると腰をかがめ、敷居３５を避けながら不自然な姿勢で取り出さねばならず作業者に対する負担が大きくなる。
【０００５】
上記問題に鑑みこの発明は、貯氷庫内に蓄積されている氷片が多いときでも少ないときでも容易に取り出せるようにした製氷機の貯氷庫を提供することを課題とする。
【０００６】
【課題を解決するための手段】
上記課題を解決するためにこの発明は、製氷機の貯氷庫の氷片取り出し口を上下二段に別け、各取り出し口に扉を取り付けてなる貯氷庫において、下段取り出し口には、その下側に下段扉を回動可能にとりつけて上端を開閉可能にし、上段取り出し口には、その上側に上段扉を回動可能にとりつけて下端を開閉可能にし、下段扉の上端に、軸受け金具とピンとで戸当たりを回動可能に取り付け、該戸当たりの両端面に案内溝を設け、この案内溝に貯氷庫の両側内面に設けた案内凸子が嵌まり合うことにより下段扉を閉じたとき戸当たり面が下段扉の内面と平行になり、開いたときには下段扉の内面に対して直角になるように構成したもの（請求項１）である。また、必要ならば上記上段扉は、ダンパーを介在させてはね上げ開閉できるようにしたもの（請求項２）である。
【０００７】
上記の如く構成するこの発明によれば、貯氷庫に蓄積されている氷片が多いときも少ないときも取り出し易くなり、とくに多いときは上段扉が広く開いて取り出し易くなり、下段扉を開けて取り出すときは、上段扉を開き、下段扉を開くと戸当たりが共に移動して邪魔ものがなくなり不自然な姿勢をすることなく氷片を取り出すことができる。
【０００８】
【発明の実施の形態】
次にこの発明の実施形態を図１を参照しながら説明する。製氷機１の貯氷庫１０の氷片取り出し口１１，１２は、上下二段に別れ、それぞれ上段扉１６と下段扉１３が取り付けられている。
【０００９】
下段扉１３は、その下端でヒンジ２０により取り出し口１２の下側に取り付けられ、上端は揺動可能になって開閉できるようになっている。
【００１０】
下段扉１３の上端で貯氷庫側を向く面には軸受け金具２１に、ピン２２を介して戸当たり１５が回動可能に取り付けられ、該戸当たり１５の両端面には案内溝２３が設けられ、この案内溝２３には貯氷庫１０の両側内面に設けられた案内凸子２４が嵌まり合い、下段扉１３を閉じたときには戸当たり面１５ｆ　が下段扉１３の内面と平行になり、開いたときには、下段扉１３の内面に対して直角になって上段扉１６に関わりなく下段扉１３を開閉できるようになっている。なお、１７は下段扉１３の把手である。
【００１１】
上段扉１６は、その上端で図に表れないヒンジにより取り出し口１１の上側に取り付けられ、下端は揺動可能で、ダンパー２５を介在させてはね上げ開閉できるようになっている。なお、２６は冷気漏れ防止のパッキング、１８は上段扉の把手、１９は機械室の換気口である。
【００１２】
次に図２を参照しながら、上・下段扉１６，１３の開閉と戸当たり１５の作用について説明する。上・下段扉１６，１３を閉じた状態を実線で表している。この状態から下段扉１３を開こうとすると貯氷庫１０の側壁内面に設けられた案内凸子２４の存在により下段扉１３の内面と平行になっていた戸当たり１５が押されて一点鎖線のように回動して下段扉１３の内面に対して直角の状態になって上段扉１６が閉じられていても支障なく開けることができる。
【００１３】
逆に下段扉１３を一点鎖線の開いた状態から閉じようとすると戸当たり１５の案内溝２３に案内凸子２４が嵌まり、下段扉１３を完全に閉じた状態で戸当たり１５は下段扉１３の内面と平行になり上段扉１６の下端に当接する。
【００１４】
上段扉１６の開閉は通常の開閉動作であるが、開いた状態を維持するためにダンパー２５を設けている。
【００１５】
【発明の効果】
以上説明したように本発明によれば、貯氷庫に蓄積されている氷片が多い時は上段扉を開き氷片を取り出すことができる。とくに、このとき従来の引き違い戸では実質二分の一しか開けられなかったものを全体を開けることができるので氷片が取り出し易くなる。
【００１６】
また、少なくなったときは上・下段扉を開いて取り出すことができ、とくに、このとき従来技術でいう敷居がなくなっている（戸当たりが下段扉と共に外れる）ので氷片の取り出しの際、邪魔になるものがなく、作業者に不自然な姿勢を強いることがなくなった。
【図面の簡単な説明】
【図１】この発明に係る貯氷庫を備えた製氷機の斜視図
【図２】同上・下段扉の開閉作用説明図
【図３】従来の貯氷庫を備えた製氷機の斜視図
【符号の説明】
１，３　製氷機
１０，３０　貯氷庫
１１，３１　取り出し口（上段の）
１２，３２　取り出し口（下段の）
１３，３３　下段扉
１５　戸当たり
１５ｆ　　　戸当たり面
１６　上段扉
１７，３７　把手（下段の）
１８，３８　把手（上段の）
１９，３９　換気口
２０　ヒンジ
２１　軸受け金具
２２　ピン
２３　案内溝
２４　案内凸子
２５　ダンパー
２６　パッキング
３４　控え金具
【図１】
2004020128.tif 000003
【図２】
2004020128.tif 000004
【図３】
2004020128.tif 000005